(57)【要約】サブフィールド（ＳＦ１−ＳＦ８）の各々にそれぞれの発光レベルを発生できる、ディスプレイパネル（６０６）上の複数の連続するサブフィールド（ＳＦ１−ＳＦ８）に画像の画素を表示するディスプレイ駆動方法は、２つ又はそれ以上のサブフィールドのシーケンス（２６、２０８）を有する。サブフィールドの各シーケンス（２６、２０８）は、ディスプレイパネルのセルを設定するための１つの点灯準備期間（２０２、２０４）が先行する。各サブフィールド（例えば、ＳＦ１）は、選択的消去放電期間（１０８）と維持期間（１１０）を有する。種々のサブフィールド（ＳＦ１−ＳＦ８）は、サブフィールドのシーケンス（２０６、２０８）に割当てられる。
2004529389.tif 000002
【特許請求の範囲】
【請求項１】
サブフィールドの各々にそれぞれの発光レベルを発生できる、ディスプレイパネル上の複数の連続するサブフィールドに画像の画素を表示するディスプレイ駆動方法であって、前記ディスプレイ駆動方法は、
−ディスプレイパネルの複数のセルを点灯準備する第1の設定ステップと、
−特定のセルに対する第1の選択的消去放電を実行する第1のアドレスステップと、
を有し、
前記ディスプレイ駆動方法は、更に、
−ディスプレイパネルの複数のセルを点灯準備する第２の設定ステップと、
−特定のセルが光を放射できる、サブフィールドの第１のシーケンスとサブフィールドの第２のシーケンスとなる、特定のセルに対する第２の選択的消去放電を実行する、第２のアドレスステップと、
を有することを特徴とするディスプレイ駆動方法。
【請求項２】
前記ディスプレイ駆動方法は、画像の連続するサブフィールドを、実質的に均等に、サブフィールドの第１のシーケンスとサブフィールドの第２のシーケンスをわたり、分散する、ことを特徴とする請求項１に記載のディスプレイ駆動方法。
【請求項３】
前記ディスプレイ駆動方法は、画像の連続するサブフィールドを、交互に、サブフィールドの第１のシーケンスとサブフィールドの第２のシーケンスに割当てる、ことを特徴とする請求項２に記載のディスプレイ駆動方法。
【請求項４】
特定のセルが光を放射する、サブフィールドの第１のシーケンスに割当てられたサブフィールドの第1の数と、特定のセルが光を放射する、サブフィールドの第２のシーケンスに割当てられたサブフィールドの第２の数の間の差は、比較的小さいことを特徴とする請求項２に記載のディスプレイ駆動方法。
【請求項５】
サブフィールドの各々にそれぞれの発光レベルを発生できる、ディスプレイパネル上の複数の連続するサブフィールドに画像の画素を表示するディスプレイ駆動ユニットであって、前記ディスプレイ駆動ユニットは、
−ディスプレイパネルの複数のセルを点灯準備する第1の設定パルスと、
−特定のセルに対する第1の選択的消去放電を実行する第1のアドレスパルスと、
を発生するように設計され、
前記ディスプレイ駆動ユニットは、
−ディスプレイパネルの複数のセルを点灯準備する第２の設定パルスと、
−特定のセルが光を放射できる、サブフィールドの第１のシーケンスとサブフィールドの第２のシーケンスとなる、特定のセルに対する第２の選択的消去放電を実行する、第２のアドレスパルスと、
を発生するように設計されることを特徴とするディスプレイ駆動ユニット。
【請求項６】
前記ディスプレイ駆動ユニットは、画像の連続するサブフィールドを、実質的に均等に、サブフィールドの第１のシーケンスとサブフィールドの第２のシーケンスをわたり、分散する、ように設計されること特徴とする請求項５に記載のディスプレイ駆動ユニット。
【請求項７】
前記ディスプレイ駆動ユニットは、画像の連続するサブフィールドを、交互に、サブフィールドの第１のシーケンスとサブフィールドの第２のシーケンスに割当てる、ように設計されること特徴とする請求項５に記載のディスプレイ駆動ユニット。
【請求項８】
特定のセルが光を放射する、サブフィールドの第１のシーケンスに割当てられたサブフィールドの第1の数と、特定のセルが光を放射する、サブフィールドの第２のシーケンスに割当てられたサブフィールドの第２の数の間の差は、比較的小さいことを特徴とする請求項５に記載のディスプレイ駆動ユニット。
【請求項９】
−画像を表す信号を受信する受信手段を有し、
−サブフィールドの各々にそれぞれの発光レベルを発生できる、ディスプレイパネル上の複数の連続するサブフィールドに画像の画素を表示するディスプレイ駆動ユニットを有し、前記ディスプレイ駆動ユニットは、
−ディスプレイパネルの複数のセルを点灯準備する第1の設定パルスと、
−特定のセルに対する第1の選択的消去放電を実行する第1のアドレスパルスと、
を発生するように設計され、、
−画像を表示するディスプレイパネルとを有する、
画像を表示する画像表示装置であって、
前記ディスプレイ駆動ユニットは、
−ディスプレイパネルの複数のセルを点灯準備する第２の設定パルスと、
−特定のセルが光を放射できる、サブフィールドの第１のシーケンスとサブフィールドの第２のシーケンスとなる、特定のセルに対する第２の選択的消去放電を実行する、第２のアドレスパルスと、
を発生するように設計されることを特徴とする、画像表示装置。
【請求項１０】
前記ディスプレイ駆動ユニットは、画像の連続するサブフィールドを、実質的に均等に、サブフィールドの第１のシーケンスとサブフィールドの第２のシーケンスをわたり、分散する、ように設計されること特徴とする請求項９に記載の画像表示装置。
【請求項１１】
前記ディスプレイ駆動ユニットは、画像の連続するサブフィールドを、交互に、サブフィールドの第１のシーケンスとサブフィールドの第２のシーケンスに割当てる、ように設計されること特徴とする請求項９に記載の画像表示装置。
【請求項１２】
特定のセルが光を放射する、サブフィールドの第１のシーケンスに割当てられたサブフィールドの第1の数と、特定のセルが光を放射する、サブフィールドの第２のシーケンスに割当てられたサブフィールドの第２の数の間の差は、比較的小さいことを特徴とする請求項９に記載の画像表示装置。
【発明の詳細な説明】
【０００１】
本発明は、サブフィールドの各々にそれぞれの発光レベルを発生できる、ディスプレイパネル上の複数の連続するサブフィールドに画像の画素を表示するディスプレイ駆動方法に関連し、ディスプレイ駆動方法は、
−ディスプレイパネルの複数のセルを点灯準備する第1の設定ステップと、
−特定のセルに対する第1の選択的消去放電を実行する第1のアドレスステップと、
を有する。
【０００２】
本発明は更に、サブフィールドの各々にそれぞれの発光レベルを発生できる、ディスプレイパネル上の複数の連続するサブフィールドに画像の画素を表示するディスプレイ駆動ユニットに関連し、ディスプレイ駆動ユニットは、
−ディスプレイパネルの複数のセルを点灯準備する第1の設定パルスと、
−特定のセルに対する第1の選択的消去放電を実行する第1のアドレスパルスと、
を発生するように設計される。
【０００３】
本発明は更に、−画像を表す信号を受信する受信手段を有し、
−サブフィールドの各々にそれぞれの発光レベルを発生できる、ディスプレイパネル上の複数の連続するサブフィールドに画像の画素を表示するディスプレイ駆動ユニットを有し、ディスプレイ駆動ユニットは、
−ディスプレイパネルの複数のセルを点灯準備する第1の設定パルスと、
−特定のセルに対する第1の選択的消去放電を実行する第1のアドレスパルスと、
を発生するように設計され、
−画像を表示するディスプレイパネルとを有する、
画像を表示する画像表示装置に関連する。
【０００４】
オープニングパラグラフに記載された種類の方法は、１９９９年のＩＤＷのプロシーディングの第７８７−７９０ページのＴ．Ｔｏｋｕｎａｇａ他による論文”（ＡＣ−ＰＤＰの新しい駆動方法の開発：高コントラスト、低エネルギーアドレス及び擬似輪郭シーケンスの減少ＣＬＥＡＲ）Ｄｅｖｅｌｏｐｍｅｎｔ  ｏｆ  Ｎｅｗ  Ｄｒｉｖｉｎｇ  Ｍｅｔｈｏｄ  ｆｏｒ  ＡＣ−ＰＤＰ’ｓ：Ｈｉｇｈ−Ｃｏｎｔｒａｓｔ，  Ｌｏｗ  Ｅｎｅｒｇｙ  Ａｄｄｒｅｓｓ  ａｎｄ  Ｒｅｄｕｃｔｉｏｎ  ｏｆ  Ｆａｌｓｅ  Ｃｏｎｔｏｕｒ  Ｓｅｑｕｅｎｃｅ  ＣＬＥＡＲ”から知られている。この論文には、プラズマパネルを駆動する新しい方法が開示されている。このパネルの主な利点は、セルをスイッチオフする高速アドレッシング時間である。プラズマディスプレイパネルは、複数のサブフィールドにより駆動される。プラズマディスプレイパネルは、スイッチオン及びスイッチオフされる多くのセルで構成される。１つのセルは、そのパネル上で表示される画像の画素に対応する。上述の方法で駆動されるプラズマディスプレイパネルの動作では、３つの形式の期間が区別される。第1の期間は、パネルのセルが、それらの電極に適切な電圧を設定することにより設定される、設定期間である。この結果を達成するために、点灯準備（プライム、ｐｒｉｍｅ）パルスが発生される。原理的には、全てのセルが既に光を放射する準備が完了している。第２の形式の期間は、アドレッシング期間であり、そこでは、スイッチオフされるべきパネルのセルが、条件付けされる。アドレスされないセルは、次の期間で光を放射する。アドレスされるセルは、その画像のフィールドで光を発生しない又は、もはや光を発生しない。選択的な消去パルスが、これを達成するために、発生される。第3の形式の期間は、維持期間であり、そこでは、継続期間の間、アドレスされていないセルに光の放射を発生させる、維持パルスがセルに印加される。プラズマディスプレイパネルは、維持期間の間、光を放射する。アドレス及び維持期間はともに、サブフィールド期間又は、簡単にサブフィールドと呼ばれる。単一の画像は、幾つかの連続するサブフィールドでパネル上に表示される。セルは、１つ又はそれ以上のサブフィールドの間、スイッチオンされうる。スイッチオンされていたサブフィールドのセルにより放射された光は、そのセルの対応する強度を知覚する視聴者の目により積分される。特定のサブフィールドでは、維持期間は、特定の時間の間維持され、活性化されたセルの特定の発光レベルとなる。典型的には、異なるサブフィールドは、それらの維持段階の異なる継続時間を有する。サブフィールドは、全体のフィールド期間の間にパネルにより放射される光への貢献を表す、重みの係数、即ちサブフィールド重み、が与えられる。適切なサブフィールド重みを選択することにより、線形に知覚できるグレースケール伝達関数が実現される。論文”（ＡＣ−ＰＤＰの新しい駆動方法の開発：高コントラスト、低エネルギーアドレス及び擬似輪郭シーケンスの減少ＣＬＥＡＲ）Ｄｅｖｅｌｏｐｍｅｎｔ  ｏｆ  Ｎｅｗ  Ｄｒｉｖｉｎｇ  Ｍｅｔｈｏｄ  ｆｏｒ  ＡＣ−ＰＤＰ’ｓ：Ｈｉｇｈ−Ｃｏｎｔｒａｓｔ，  Ｌｏｗ  Ｅｎｅｒｇｙ  Ａｄｄｒ��ｓｓ  ａｎｄ  Ｒｅｄｕｃｔｉｏｎ  ｏｆ  Ｆａｌｓｅ  Ｃｏｎｔｏｕｒ  Ｓｅｑｕｅｎｃｅ  ＣＬＥＡＲ”では、増加するサブフィールド機構が記載されている。これは、サブフィールドのサブフィールド重みは、たとえあるとしても、その前のもののサブフィールド重みより高いか又は等しいことを意味する。記載されたサブフィールド機構は、累積的である。セルは、点灯準備と選択的消去放電の間でスイッチオンされる。セルがスイッチオンされるサブフィールドの数を選択することにより、１３の異なる強度レベルが、１２のサブフィールドを有するパネル上に画像を表示するために実現できる。この比較的少ない数の強度レベルは、上述の方法により駆動されるプラズマディスプレイパネルの大きな欠点である。論文では、誤差拡散とディザリングで、グレースケール伝達関数が、平滑化されることが記載されている。しかしながら、これは、実際の強度レベルの数、即ちグレーレベルが比較的低いことのみをマスクする。
【０００５】
本発明の第１の目的は、表示装置により発生される比較的高い数の強度レベルとなる、オープニングパラグラフに記載された種類のディスプレイ駆動方法を提供することである。
【０００６】
本発明の第２の目的は、表示装置により発生される比較的高い数の強度レベルを有する、オープニングパラグラフに記載された種類のディスプレイ駆動ユニットを提供することである。
【０００７】
本発明の第３の目的は、表示装置により発生される比較的高い数の強度レベルを有する、オープニングパラグラフに記載された種類のディスプレイ駆動ユニットを有する画像表示装置を提供することである。
【０００８】
本発明の第１の目的は、ディスプレイ駆動方法は、更に、
−ディスプレイパネルの複数のセルを点灯準備する第２の設定ステップと、
−特定のセルが光を放射できる、サブフィールドの第１のシーケンスとサブフィールドの第２のシーケンスとなる、特定のセルに対する第２の選択的消去放電を実行する、第２のアドレスステップと、を有することにより達成される。従来技術の方法に従って制御されるディスプレイパネルでは、セルは、１つ又はそれ以上のサブフィールドに対してスイッチオンされうる。しかしながら、セルがスイッチオフされるときには、セルは画像について再びスイッチオンされることができない。これは、各セルについて、特定のセルが光を放射できる１つのシーケンスのサブフィールドがあることを意味する。サブフィールドの順序は、固定されている。これゆえに、実現されることが可能な異なる強度レベルの数は、セルがスイッチオンされるサブフィールドの数により完全に決定される。特定のセルが光を放射する、１つ以上のシーケンスのサブフィールドを生成することにより、サブフィールドの組合せを選択するさらに多くの自由度があることが達成される。特定のセルが光を放射するサブフィールドの２つのシーケンスが発生される場合にはそして、冗長な組合せがない場合には、サブフィールドの数がＮ＝１２である場合には、明確な強度レベルの数は、（Ｎ／２＋１）＊（Ｎ／２＋１）−１＝４８へ増加する。特定のセルが光を放射するサブフィールドの２つ以上のシーケンスの発生は、可能である。その場合には、追加の点灯準備と選択的消去放電が種々のセルに要求される。
【０００９】
本発明に従ったディスプレイ駆動方法の実施例は、画像の連続するサブフィールドを、実質的に均等に、サブフィールドの第１のシーケンスとサブフィールドの第２のシーケンスをわたり、分散する。サブフィールドの第１と第２のシーケンスのサブフィールドの数は、相互に等しいことが望ましい。サブフィールドの第１のシーケンスのサブフィールドのサブフィールド重みの和と、サブフィールドの第２のシーケンスのサブフィールド重みの和の間の差は、比較的に小さいことが望ましい。結果は、サブフィールドの第１のシーケンスの間に放射される光の量と、サブフィールドの第２のシーケンスの間に放射される光の量の差が比較的小さいということである。結果は、時間の関数として、ディスプレイパネルにより放射される光の量に２つのピークがあるということである。効果は、大きな領域のフリッカは、即ち画像リフレッシュ周波数で、減少される。これは、ＰＡＬについては、５０Ｈｚである。
【００１０】
本発明に従ったディスプレイ駆動方法の実施例は、画像の連続するサブフィールドを、交互に、サブフィールドの第１のシーケンスとサブフィールドの第２のシーケンスに割当てる。この割当て機構で、サブフィールドの第１のシーケンスの間に放射される光の量と、サブフィールドの第２のシーケンスの間に放射される光の量の差を、比較的小さく保つことが可能である。
【００１１】
本発明に従ったディスプレイ駆動方法の実施例では、特定のセルが光を放射する、サブフィールドの第１のシーケンスに割当てられたサブフィールドの第1の数と、特定のセルが光を放射する、サブフィールドの第２のシーケンスに割当てられたサブフィールドの第２の数の間の差は、比較的小さい。サブフィールドをサブフィールドのシーケンスに割り当てる他にも、シーケンスのどの組合せを適用するかを決定することも重要である。特定のセルの要求される発光レベルを達成するために、対応するセルは、１つ又はそれ以上のサブフィールド中にスイッチオンされなければならない。原理的には、セルが、サブフィールドの第１のシーケンスの１つ又はそれ以上のサブフィールド中にのみ光を放射し、そして、サブフィールドの第２のシーケンス中は、光を放射しないことが、可能である。しかしながら、大きな領域のフリッカを避けるために、特定のセルが光を放射する、サブフィールドの第１のシーケンスに割当てられたサブフィールドの第1の数と、特定のセルが光を放射する、サブフィールドの第２のシーケンスに割当てられたサブフィールドの第２の数の間の差は小さいことが好ましい。特定のセルが光を放射する１つ又は２つのサブフィールドの最大の差は小さい。１２サブフィールドの場合には、１つ又は２つのサブフィールドの最大の差が好ましい。例えば、２０サブフィールドの場合には、より大きな差が許される。
【００１２】
本発明の第２の目的は、ディスプレイ駆動ユニットは、
−ディスプレイパネルの複数のセルを点灯準備する第２の設定パルスと、
−サブフィールドの第１のシーケンスとサブフィールドの第２のシーケンスとなる、特定のセルに対する第２の選択的消去放電を実行する、第２のアドレスパルスと、
を発生するように設計される、ことにより達成される。
【００１３】
本発明の第３の目的は、ディスプレイ駆動ユニットが、
−ディスプレイパネルの複数のセルを点灯準備する第２の設定パルスと、
−特定のセルが光を放射できる、サブフィールドの第１のシーケンスとサブフィールドの第２のシーケンスとなる、特定のセルに対する第２の選択的消去放電を実行する、第２のアドレスパルスと、
を発生するように設計されることにより達成される。
【００１４】
本発明に従ったディスプレイ駆動ユニット及び画素を表示するディスプレイ駆動方法及び画像表示装置のこれらの及び他の特徴は、以下に記載の実行及び実施例と添付の図面を参照して、説明されそして明らかとなろう。
【００１５】
図１は、８のサブフィールドＳＦ１−ＳＦ８を有するフィールド期間１０４の概略を示す。プラズマディスプレイパネルは、複数のサブフィールドＳＦ１−ＳＦ８で駆動される。プラズマディスプレイパネルは、スイッチオン及びスイッチオフされる幾つかのセルにより構成される。セルは、パネル上に表示されるべき画像の画素に対応する。従来技術に従った方法により駆動されるプラズマディスプレイパネルの動作では、３つの形式の期間が区別される。第１の期間は、パネルのセルが、それらの電極上に適切な電圧を設定することにより設定される、設定期間１０２である。この結果を達成するために、点灯準備（プライム、ｐｒｉｍｅ）パルスが発生される。原理的には、ここで、セルは光を放射する準備が完了している。例えば、１０８の第２の形式の期間は、アドレッシング期間であり、そこでは、スイッチオフされるべきパネルのセルが、条件付けされる。アドレスされないセルは、次の期間で光を放射する。アドレスされるセルは、その画像のフィールドで光を発生しない又は、もはや光を発生しない。選択的な消去パルスが、これを達成するために、発生される。例えば１１０の、第3の形式の期間は、維持期間であり、そこでは、継続期間の間、非消去セル、即ちアドレスされていないセルに光の放射を発生させる、維持パルスがセルに印加される。プラズマディスプレイパネルは、例えば１１０の、維持期間の間、光を放射する。アドレッシング１０８及び維持期間１１０はともに、例えば、ＳＦ１のように、サブフィールドと呼ばれる。単一の画像は、幾つかの連続するサブフィールドＳＦ１−ＳＦ８でパネル上に表示される。セルは、１つ又はそれ以上のサブフィールドＳＦ１−ＳＦ８の間、スイッチオンされうる。スイッチオンされていたサブフィールドＳＦ１−ＳＦ８のセルにより放射された光は、そのセルの対応する強度を知覚する視聴者の目により積分される。特定のサブフィールドＳＦ１では、維持期間は、特定の時間の間維持され、活性化されたセルの特定の発光レベルとなる。典型的には、異なるサブフィールドＳＦ１−ＳＦ８は、それらの維持段階の異なる継続時間を有する。サブフィールドは、全体のフィールド期間１０４の間にパネルにより放射される光への貢献を表す、重みの係数、即ちサブフィールド重み、が与えられる。適切なサブフィールド重みを選択することにより、線形に知覚できるグレースケール伝達関数が実現される。図１は、増加する重みの係数を有する８のサブフィールドを有するプラズマディスプレイパネルに関連し：サブフィールドＳＦ１−ＳＦ８は、増加して、順序付けされる。例えば、ＳＦ２のサブフィールドのサブフィールド重みは、その前のＳＦ１のサブフィールド重みより大きいか又はそれに等しい。セルがスイッチオンされるサブフィールドの数を選択することにより、９の異なる強度レベルが、このパネル上に画像を表示するのに実現される。
【００１６】
図２は、セルが光を放射する、各４のサブフィールドの２つのシーケンスを有するフィールド期間の概略を示す。サブフィールドの第１のシーケンス２０６は、サブフィールドＳＦ１，ＳＦ３、ＳＦ５及びＳＦ７を含む。サブフィールドの第２のシーケンス２０８は、サブフィールドＳＦ２，ＳＦ４、ＳＦ６及びＳＦ８を含む。サブフィールドの第１のシーケンス２０６は、設定期間２０２が先行する。サブフィールドの第２のシーケンス２０８は、設定期間２０４が先行する。
【００１７】
図３Ａは、７の別個のグレーレベルを有するグレースケール伝達関数の概略を示す。ｘ−軸３０２は、６のサブフィールドがある場合に、図１に示されたような駆動方法で可能な７の別個のサブフィールドの組み合わせの識別を提供する。ｙ−軸３０４には、対応するグレーレベルが示されている。表１は、同様な情報を示す。表１の第１の行は、６のサブフィールドの時間の順序を示し、即ち、ＳＦ１は、点灯準備後のフィールドの第１のサブフィールドであり、ＳＦ２は第２のサブフィールドそして、ＳＦ６は最後のサブフィールドである。第２の行では、発光レベルに対応するサブフィールド重みが示されている。他の行には、特定のセルが種々のサブフィールドで光を放射するか否かを、それぞれ”１”又は”０”により示されている。右手側の列は、特定のセルによる合計の放射された光に関連する、特定の画素の結果の輝度レベルを示す。７の別個のグレーレベルは、６のサブフィールドで作られることが可能であることがわかる。
【００１８】
【表１】
2004529389.tif 000003
表２では、代わりのサブフィールド順序の場合のサブフィールドの組合せが示されている。使用されるサブフィールドの組み合わせの数は、表１の数と等しい。表２の第１の行は、６のサブフィールドの時間順序を示し、即ち、ＳＦ１は点灯準備後のフィールドの時間的に第１のサブフィールドであり、ＳＦ３は第２のサブフィールドそして、ＳＦ６は最後のサブフィールドである。表２に使用される慣例は、表１で使用されるのと同じである。このサブフィールド順序の利点は、大きな領域のフリッカが、表１に示されたサブフィールド順序と比較して小さいことである。図４も参照する。表１と表２に記載されたサブフィールド順序のグレースケール伝達関数は、相互に等しく、図３Ａを参照する。サブフィールドのこの順序を達成するために、フィールド当りに２つの点灯準備パルス必要とされる。
【００１９】
【表２】
2004529389.tif 000004
表３では、第２の代わりのサブフィールド順序の場合の、サブフィールドの組合せが示されている。使用されるサブフィールドの組み合わせの数は、表１の数と等しい。更なる説明のために表１と２の記載を参照する。このサブフィールド順序の利点は、大きな領域のフリッカが、表１に示されたサブフィールド順序と比較して小さいことである。サブフィールドのこの順序を達成するために、フィールド当りに２つの点灯準備パルス必要とされる。
【００２０】
【表３】
2004529389.tif 000005
図３Ｂは、１０の別個のグレーレベルを有するグレースケール伝達関数の概略を示す。ｘ−軸３０２は、６のサブフィールドがある場合に、そして、特定のセルが光を放射するサブフィールドの第１のシーケンスに割当てられたサブフィールド第１の数と特定のセルが光を放射するサブフィールドの第２のシーケンスに割当てられたサブフィールドの第２の数の差が２よりも小さいという制限の下で、図２で示された駆動方法で可能な１０の別個のサブフィールドの組み合わせの識別を提供する。ｙ−軸３０４には、対応するグレーレベルが示されている。表４は、同様な情報を示す。サブフィールドの組み合わせを達成するために、フィールド当りに２つの点灯準備パルス必要とされる。表４の第１の行は、６のサブフィールドの時間の順序を示す。ＳＦ１は第１の点灯準備後のフィールドの第１のサブフィールドであり、ＳＦ３は第２のサブフィールドでありそしてＳＦ３は最後のサブフィールドである。ＳＦ２は第２の点灯準備後のフィールドの第１のサブフィールドであり、ＳＦ４は第２のサブフィールドでありそしてＳＦ６は最後のサブフィールドである。表４で使用されている慣例は、表１で使用されているのと同じである。例えば、表１、２及び３に記載のような、代わりのサブフィールド順序も可能である。
【００２１】
【表４】
2004529389.tif 000006
図３Ｃは、１４の別個のグレーレベルを有するグレースケール伝達関数の概略を示す。ｘ−軸３０２は、６のサブフィールドがある場合に、そして、特定のセルが光を放射するサブフィールドの第１のシーケンスに割当てられたサブフィールド第１の数と特定のセルが光を放射するサブフィールドの第２のシーケンスに割当てられたサブフィールドの第２の数の差が３よりも小さいという制限の下で、図２で示された駆動方法で可能な１４の別個のサブフィールドの組み合わせの識別を提供する。表５も参照する。
【００２２】
【表５】
2004529389.tif 000007
図４は、時間の関数として、ディスプレイパネルにより放射される光の量に関連する２つの信号４０６，４０８の概略を示す図である。ｘ−軸４０２は、時間に対応する。ｙ−軸４０４は、予め定められた時間の期間中にディスプレイパネルから放射された光の量を示す。両曲線４０６、４０８の積分は、相互に等しく：時間の関数としての光の平均量は、互いに等しい。信号４０６と４０８の間の主な差は、信号４０６に対して、深さ、即ち振幅が、信号４０８についてよりも非常に大きいことである。大きな変調深さは、大きな領域のフリッカとなりうる。これは、時間期間当りの光の量の変化の周波数に依存する。図１に示されたサブフィールド順序は、信号４０６となる。図２に示されたサブフィールド順序は、信号４０８となる。
【００２３】
図５は、
−入力信号を受信しそしてディスプレイ駆動ユニット５００の動作を制御するように設計されたコントローラ５０２と、
−例えば、点灯準備パルス及び選択消去放電パルスのような、ディスプレイパネルを駆動するのに適切なパルスを発生するパルス発生器５０４と、
−例えば、可能なサブフィールドシーケンスのような、構成データの持続性の記憶のためのメモリ装置５０６とを有する、ディスプレイ駆動ユニット５００の概略を示す。メモリ装置５０６は、画素値からサブフィールドの組合せへマッピングすることを含むルックアップテーブルを実装する。これらの形式のマッピングは、表１−５で見つけることができる。画像の画素値をあらわす信号が、ディスプレイ駆動ユニット５００の入力コネクタ５０８に供給される。ディスプレイパネルを駆動するパルスは、ディスプレイ駆動ユニット５００の出力コネクタ５１０に供給される。構成データは、構成入力コネクタ５１２により、ディスプレイ駆動ユニット５００に供給される。
【００２４】
図６は、本発明に従った画像表示装置の構成要素を示す。画像表示装置６００は、表示される画像を表す信号を受信する受信手段６０２を有する。信号は、アンテナ又はケーブルを介して受信される放送信号でもよいが、しかし、ＶＣＲ（ビデオカセットレコーダ）又は、ディジタルバーサタイルディスク（ＤＶＤ）のような記憶装置からの信号でもよい。画像表示装置６００は、画像を表示するディスプレイパネル６０６を制御するディスプレイ駆動ユニット５００を更に有する。ディスプレイ駆動ユニット５００は、図４に記載されている。ディスプレイパネル６０６は、サブフィールドで駆動される形式である。
【００２５】
上述の実施例は、本発明を限定するのではなくそして、当業者は添付の請求項の範囲から離れることなく代わりの実施例を設計できることに注意すべきである。請求項では、括弧内に記載の参照符号は、請求項の範囲を制限しない。用語”含む、有する”は、請求項に列挙されたもの以外の構成要素又はステップの存在を除外しない。構成要素の前の単語”ａ”又は”ａｎ”の使用は、複数のそのような要素の存在を除外しない。本発明は、幾つかの別個の構成要素を含むハードウェアにより又は、適するプログラムのされたコンピュータにより実行されることが可能である。幾つかの手段を列挙するユニットのクレームでは、これらの手段の幾つかは、ハードウェアの１つの及び同じものにより実現されることが可能である。
【図面の簡単な説明】
【００２６】
【図１】従来技術に従った、８サブフィールドを有するフィールド期間の概略を示す図である。
【図２】本発明に従った、各々が４サブフィールドの２つのシーケンスを有するフィールド期間の概略を示す図である。
【図３Ａ】７の別個のレベルを有するグレースケール伝達関数の概略を示す図である。
【図３Ｂ】１０の別個のレベルを有するグレースケール伝達関数の概略を示す図である。
【図３Ｃ】１４の別個のレベルを有するグレースケール伝達関数の概略を示す図である。
【図４】時間の関数として、ディスプレイパネルにより放射される光の量に関連する２つの信号の概略を示す図である。
【図５】ディスプレイ駆動ユニットの概略を示す図である。
【図６】画像表示装置の構成要素を示す図である。
【国際公開パンフレット】
2004529389.tif 000008
2004529389.tif 000009
2004529389.tif 000010
2004529389.tif 000011
2004529389.tif 000012
2004529389.tif 000013
2004529389.tif 000014
2004529389.tif 000015
2004529389.tif 000016
2004529389.tif 000017
2004529389.tif 000018
2004529389.tif 000019
2004529389.tif 000020
2004529389.tif 000021
2004529389.tif 000022
2004529389.tif 000023
2004529389.tif 000024
2004529389.tif 000025
2004529389.tif 000026
2004529389.tif 000027
【国際調査報告】
2004529389.tif 000028
2004529389.tif 000029
2004529389.tif 000030